(57)【要約】【課題】主回転輪と受動回転輪の組合せにより、より長いコードを収納可能で、引き出されるコードの長さも長くすることができるコード収納プーリーを具えたコードリールを提供する。【解決手段】主に弾力回転性能を具えた主回転輪２０を具え、本体上にはそれぞれ異なる大きさ、或いは同等の大きさの直径の複数の回転輪３０を形成する。該回転輪の中心孔２５は主軸１４に回転可能に枢着する。少なくとも一個以上の受動回転を行う受動回転輪はその輪面上に少なくとも一個以上のコード保存凹部を形成し、中心孔３５は支軸１６に回転可能に枢着する。コードは上、下線に区分され、該主回転輪、該受動回転輪に属する保存凹部中に巻き取られる。【選択図】図１
0003097466.tif 000002
【実用新案登録請求の範囲】
【請求項１】
主に巻き取りばねを具えた主回転輪を具え、本体上にはそれぞれＡ回転輪、Ｂ回転輪を形成し、該両者の中心孔は主軸部に回転可能に枢着し、
該Ａ、Ｂ回転輪の輪面上には、それぞれＡ、Ｂ収納凹部を形成し、
少なくとも一個以上の受動回転を行う受動回転輪は、本体上にコード保存回転輪を形成し、該コード保存回転輪の輪面上には少なくとも一個以上の保存凹部を形成し、中心孔を回転可能に枢着し、該支軸部と該主軸部間は一定の間隔を隔て、
コードは上、下線に区分され、該上線は該Ａ回転輪の輪面上のＡ収納凹部及び該受動回転輪に属する保存凹部中に巻き取られ、該下線は該Ｂ回転輪に属するＢ収納凹部中に巻き取られることを特徴とするコード収納プーリーを具えたコードリール。
【請求項２】
前記主回転輪及び前記受動回転輪の上方にはそれぞれ連動輪を一体成型し、伝動ベルトは複数の連動輪上に接続し、これにより、前記主回転輪は間接的に前記受動回転輪を駆動して同期回転することを特徴とする請求項１記載のコード収納プーリーを具えたコードリール。
【請求項３】
前記巻き取りばねの外端は前記主回転輪の側面内凹槽中に接続し、反対の内端は前記主軸部上に接続し、これにより、前記主回転輪は弾力性を具えた回転を行うことができることを特徴とする請求項１記載のコード収納プーリーを具えたコードリール。
【請求項４】
前記受動回転輪の側面には内凹槽を設置し、巻き取りばねの外端が該内凹槽の槽壁面に接続、固定され、内端は前記支軸部上に係合、接続し、これにより、該受動回転輪は主動回転を行うことができることを特徴とする請求項１記載のコード収納プーリーを具えたコードリール。
【請求項５】
前記Ａ、Ｂ回転輪の直径は異なることを特徴とする請求項１記載のコード収納プーリーを具えたコードリール。
【請求項６】
前記Ａ、Ｂ回転輪の直径は同等とする特徴とする請求項１記載のコード収納プーリーを具えたコードリール。
【請求項７】
前記主軸部及び前記支軸部は内ケース体中に突出設置し、
外ケース体は該内ケース体にねじ止し、これにより前記主回転輪、前記受動回転輪は該内、外ケース体の内部槽に収容され、
該一体に結合する内、外ケース体の側辺には少なくとも一個以上の導入孔を形成し、前記上線は該導入孔より引き出されることを特徴とする請求項１記載のコード収納プーリーを具えたコードリール。
【請求項８】
前記Ａ、Ｂ収納凹部間に形成する環状の隔離片には係合溝を設け、前記下線は該係合溝から前記Ａ収納凹部中へと延伸し、前記上、下線は該係合溝において係合、固定することを特徴とする請求項１記載のコード収納プーリーを具えたコードリール。
【請求項９】
前記内ケース体の下部位は内部に回路部品を具えた電器製品ケース体に接続可能で、電器製品ケース体は外に向かってプラグを設置し、前記下線は前記内ケース体に設置する穿孔及び滑り止めカバーのカバー孔中を通過し、該電器製品ケース体中に延伸し、該回路部品と接続し、前記下線は該滑り止めカバーの固定により、一種の固定部を形成することを特徴とする請求項１記載のコード収納プーリーを具えたコードリール。
【請求項１０】
前記上、下線の線端はプラグ或いはソケットに接続することを特徴とする請求項１記載のコード収納プーリーを具えたコードリール。
【請求項１１】
前記下線は前記受動回転輪中の下保存凹部及び前記主回転輪のＢ収納凹部中に巻付き、収納されることを特徴とする請求項１記載のコード収納プーリーを具えたコードリール。
【考案の詳細な説明】
【０００１】
【考案の属する技術分野】
本考案は一種のコード収納プーリーを具えたコードリールに関する。特に主回転輪と受動回転輪の組合せにより、より長いコードを収納可能で、引き出されるコードの長さも長くすることができるコード収納プーリーを具えたコードリールに係る。
【０００２】
【従来の技術】
本考案者が既に取得した日本実用新案登録に、第３０８６６１６号「イヤホーン収納器」がある。
該構造は実用的ではあるが、コードの上線を長く引き出し、また保存凹部に一層多くの上線を保存しようとすると、大回転輪の直径は必然的に大きくなるため、該収納器が大きくなってしまう。しかも、そうであってもやはり、引出され或いは収納される該上線の長さには限りがある。
このため、コードリール中に、いかにしてより多くのコードを収納し、コードをより長く引出せるようにするかは、重要な問題である。
【０００３】
【考案が解決しようとする課題】
上記公知構造の欠点を解決するため、本考案はコード収納プーリーを具えたコードリールの提供を課題とする。
それは、主回転輪と受動回転輪の組合せにより、より長いコードを収納可能で、引き出されるコードの長さも長くすることができる。
さらにそれは、電器製品ケース体との結合により、電器製品の一部分を形成することができる。
またそれは、主回転輪と受動回転輪上にそれぞれ複数の収納凹部を設置することにより、上、下線を収納し、上、下線端のプラグ（ソケット）は大量に引き出され、或いは収容槽中に収容される。
【０００４】
【課題を解決するための手段】
上記課題を解決するため、本考案は下記のコード収納プーリーを具えたコードリールを提供する。
それは主に弾力回転性能を具えた主回転輪を具え、本体上にはそれぞれ異なる大きさ、或いは同等の大きさの直径の複数の回転輪を形成する。
該回転輪の中心孔は主軸部に可動接続する。少なくとも一個以上の受動回転を行う受動回転輪はその輪面上に少なくとも一個以上の保存凹部を形成し、中心孔は支軸部に可動接続する。コードは上、下線に区分され、該主回転輪、該受動回転輪に属する保存凹部中に巻き取られる。
【０００５】
【考案の実施の形態】
図１、２が示すように、本考案は弾力回転性能を具えた主回転輪２０を具え、本体上にはそれぞれＡ回転輪２２、Ｂ回転輪２４を形成する。該両者の中心孔２５は主軸部１４に回転可能に枢着する。
該Ａ、Ｂ回転輪２２、２４の輪面上には、それぞれＡ、Ｂ収納凹部２７、２８を形成する。
少なくとも一個以上の受動回転を行う受動回転輪３０は、本体上にコード保存回転輪３２を形成する。該コード保存回転輪３２の輪面上には少なくとも一個以上の保存凹部３７を形成し、中心孔３５は支軸部１６に回転可能に枢着する。該支軸部１６と該主軸部１４間は一定の間隔Ｌを隔てる。
コードＳは上、下線Ｓ１、Ｓ２に区分される。該上線Ｓ１は該Ａ回転輪２２輪面上のＡ収納凹部２７及び該受動回転輪３０に属する保存凹部３７中に巻き取られ、該下線Ｓ２は該Ｂ回転輪２４に属するＢ収納凹部２８中に巻き取られる。
【０００６】
該主回転輪２０及び該受動回転輪３０の上方にはそれぞれ連動輪２６、３６を一体成型し、伝動ベルト５０は複数の連動輪２６、３６上に接続する。これにより、該主回転輪２０は間接的に該受動回転輪３０を駆動して同期回転する。
巻き取りばね４０の外端４２は該主回転輪２０の側面内凹槽２９中に接続し、反対の内端４４は該主軸部１４上に接続する。これにより、該主回転輪２０は弾力性を具えた回転を行うことができる。
該受動回転輪３０の側面には内凹槽３１を設置し、巻き取りばね４０’の外端４２は該内凹槽３１の槽壁面に接続、固定される。内端４４は該支軸部１６上に係合、接続する。これにより、該受動回転輪３０は駆動され回転を行うことができる（図９参照）。
該Ａ、Ｂ回転輪２２、２４の直径Ｄ１、Ｄ２は同等としなくても良い。
【０００７】
該主軸部１４及び該支軸部１６は内ケース体１０中に突出設置する。
外ケース体１５は該内ケース体１０中にねじ止めし、これにより該主回転輪２０、該受動回転輪３０は該内、外ケース体１０、１５の内部凹腔１２に収容される。
該一体に結合する内、外ケース体１０、１５の側辺には少なくとも一個以上のコード導入孔１３、１３’を形成し、該上線Ｓ１は該導入孔１３より引き出される。
該Ａ、Ｂ収納凹部２７、２８間に形成する環状の隔離片２３には係合溝２３１を設置する。該下線Ｓ２は該係合溝２３１から該Ａ収納凹部２７中へと延伸し、該上、下線Ｓ１、Ｓ２は該係合溝２３１において係合、固定を形成する。
【０００８】
次に図４、５が示すように、該内ケース体１０の下部位は内部に回路部品７２を具えた電器製品ケース体７０に接続可能である。該電器製品ケース体７０は外に向かってプラグ７４を設置する。該下線Ｓ２は、該内ケース体１０に設置する穿孔１２１及び滑り止めカバー１２２のカバー孔中を通過し、該電器製品ケース体７０中に延伸し、該回路部品７２と接続する。該下線Ｓ２は該滑り止めカバー１２２の固定により、一種の固定部を形成する。
該上、下線Ｓ１、Ｓ２の線端はプラグ９０、９０’、或いはソケットに接続する。
該下線Ｓ２は該受動回転輪３０中の下保存凹部３８及び該主回転輪２０のＢ収納凹部２８中に巻付き、収納される（図１０参照）。
【０００９】
図１が示すように、該コードさはそれぞれＡ、Ｂ収納凹部２７、２８に巻付けられる。該Ａ収納凹部２７中に保存されるコードは上線Ｓ１と定義し、該Ｂ収納凹部２８中に保存されるコードは下線Ｓ２と定義される。該コードＳは該係合溝２３１中に係合、定位され固定部を形成する。これにより、該上、下線Ｓ１、Ｓ２がそれぞれ引出される時に滑りが発生しない。伝動ベルト５０はベルト製が最も望ましく、該連動輪２６、３６に接続し、該主回転輪２０が力を受け回転する時、該受動回転輪３０も駆動され、同期回転する。
該上線Ｓ１は該受動回転輪３０の保存凹部３７及び該主動回転輪２０に属するＡ収納凹部２７中に巻付けられる。該主動回転輪２０と該受動回転輪３０間には距離Ｌがあるため（図３参照）、該上線Ｓ１は大量に収納・保存されることになる。該距離Ｌが大きければ大きいほど、図２が示すように、該上線Ｓ１の保存される長さは長くなる。
【００１０】
該下線Ｓ２は該Ｂ収納凹部２８中に収納されるが、該上、下線Ｓ１、Ｓ２の前端はそれぞれ導入孔１３、１３’より穿出する。その端部は各種形式のプラグ（ソケット）９０、９０’に接続する。該巻き取りばね４０は金属バネ製が理想的で、該外端４２により該内凹槽２９の内壁に係合、固定される。該内端４４は該主軸部１４上に係合固定される。このため、該プラグ（ソケット）９０が引出される時、該上線Ｓ１はそれに従い引出され、該主回転輪２０を駆動し該主軸部１４を中心に回転する。さらに、該連動部品５０の回転を通して、該受動回転輪３０を駆動し、該支軸部１６を中心とし同期回転を行う。この時、該巻き取りばね４０は収縮状態を呈し、該上線Ｓ１は大量に引出され、引出される長さの大幅な増加を達成する。同時に、該下線Ｓ２もまた該主回転輪２０の回転により、該導入孔１３’より一定の長さ分引出される。但し、引出される該下線Ｓ２の長さは該上線Ｓ１の引出される長さより短い。これにより、該プラグ９０、９０’は電源或いは各種電器製品９６のソケット上に挿接される（図１１参照）。
別に、該主回転輪２０下方には回転盤体４５を接続し、その外盤面には螺旋状のスライド溝４５１を設置し、これによりベアリング４５２は嵌入する。該ベアリング４５２は該スライド溝４５１中において滑動、移動し、これにより該主回転輪２０は一時的にブレーキ効果を得られる。
該プラグ９０、９０’がソケットから抜かれた後、該巻き取りばね４０の回復力は、該主回転輪２０を反対方向に回転させ、コード収納動作を執り行う。該連動部品５０は該受動回転輪３０を反対方向に駆動し、しかも該主回転輪２０の同期回転をも駆動する。こうして、該上、下線Ｓ１、Ｓ２はそれぞれ該Ａ、Ｂ収納凹部２７、２８及び該保存凹部３７中に巻き取られる。このコード収納動作により、極めて長い該上線Ｓ１を内、外ケース体１０、１５内部の収容槽１２に収納することができる。
【００１１】
図３が示すように、該主軸部１４と該主回転輪２０は一体成型とすることができ、該軸端１４１、１４２もそれぞれ該内、外ケース体１０、１５内壁面に設置する円凹槽１１、１５１中に可動接続することができる。
該受動回転輪３０と該支軸部１６は一体成型とすることができ、該軸端１６１、１６２もそれぞれ該内、外ケース体１０、１５内壁面に設置する円凹槽１１１、１５２中に可動接続することができる。こうして、該主回転輪２０及び該受動回転輪３０は該円凹槽１１、１１１、１５１、１５２中において自由に回転することができる。
該受動回転輪３０の保存凹部３７下方には、下保存凹部３８を設置し、該下保存凹部３８と該保存凹部３７間には隔離片３７１を設置する。これにより、該上線Ｓ１は該係合溝３７１を経由し該下保存凹部３８中に延伸し、該下線Ｓ２の収納を形成する。同時に、該上線Ｓ１は該係合溝３７２区域において挟まれ固定され、こうして、該上、下線Ｓ１、Ｓ２間が相互に滑り動くことはない。
該導入孔１３、１３’はそれぞれ該内、外ケース体１０、１５の側辺に設置されるため、該上線Ｓ１は該導入孔１３外に導き出され、該下線Ｓ２は該導入孔１３’外に導き出される。同様に、該プラグ９０、９０’が引き出され、或いは収納されることにより、該主回転輪２０は正、反回転を行い、該受動回転輪３０を駆動して同期回転する。こうして、該上、下線Ｓ１、Ｓ２は引き出され、或いは該収容槽２中に収納される。
【００１２】
図４が示すように、本考案の内ケース体１０下方の壁面には該電器製品ケース体７０を接続し、該電器製品ケース体７０は充電器とすることができる。該内ケース体収容槽１２の槽底面には穿孔１２１を設置し、滑り止めカバー１２２を嵌接する。該下線Ｓ２は該滑り止めカバー１２２を通過し、その導電端は回路部品７２（及び回路板）と接続する。
図５が示すように、該上線Ｓ１は該受動回転輪３０の保存凹部３７及び該主回転輪２０のＡ収納凹部２７中において巻き取られ、該下線Ｓ２は該Ｂ収納凹部２８中に巻き取られる。該上、下線Ｓ１、Ｓ２間の挟み固定位置は該係合溝２３１において形成されるため、該上、下線Ｓ１、Ｓ２は相互に滑り動くことはない。該電器製品ケース体７０のプラグ７４は電源に接続し、人手により、該プラグを引き出すことにより、該主回転輪２０は回転する。これにより、該上線Ｓ１はそれぞれ該保存凹部３７及び該Ａ収納凹部２７中より引き出される。
反対に、該Ｂ回転輪２４の直径Ｄ２は該Ａ回転輪２２の直径Ｄ１より大幅に小さいため、引き出される該下線Ｓ２の長さははるかに短い。そのため、該上線Ｓ１が引き出された時、該下線Ｓ２もまたいくらか引き出され、該Ｂ収納凹部２８中において緩んだ状態となる（図５の上線Ｓ１の仮想線参照）。該滑り止めカバー１２２は該下線Ｓ２を固定しているため、該電器製品ケース体７０内部中の下線Ｓ２は全く動かない。
該プラグ９０、７４は使用せず、ソケットに挿入していない時には、該巻き取りばね４０の回復力は該主回転輪２０及び該受動回転輪３０に反対方向の回転を行わせ、引き出されていた該上線Ｓ１及び緩んだ状態であった該下線Ｓ２は素早く巻き取られ、該保存凹部３７、該Ａ収納凹部２７、該Ｂ収納凹部２８中に収納される。
【００１３】
次に図６が示すように、該電器製品ケース体７０の電源プラグ７４はソケット７４’とすることもできる。
図７が示すように、該受動回転輪３０は二個とすることもでき、該主回転輪２０と三角形を呈して配列される。多数の該受動回転輪３０はより長い分量の該上線Ｓ１を収納、或いは引き出すことができる。
図８が示すように、該受動回転輪３０は三個とすることもでき、該主回転輪２０と四角形を呈し配列される。多数の該受動回転輪３０はより長い分量の該上線Ｓ１を収納、或いは引き出すことができる。
図９が示すように、該複数の受動回転輪３０間には方向を導く受動中間可動プーリー８５を設置し、これにより該上線Ｓ１の方向を導き、該上線Ｓ１は正確に該保存凹部３７中に収納される。
図１０が示すように、該受動回転輪３０の内凹槽３１中には巻き取りばね４０’を選択し、設置することができる。その内端（図示なし）は該支軸部１６上に固定され、外端（図示なし）は該内凹槽３１の槽壁に固定される。これにより、該受動回転輪３０もまた弾力回転の特色を形成することとなる。この時、該連動輪２６、３６及び該伝動ベルト５０の設計は省くことができる。即ち、巻き取りばね４０’が別の巻き取りばね４０の弾力値と同等であるなら、該上線Ｓ１は収納されるとき、該主回転輪２０と該受動回転輪３０の回転速度は同一となり、該上線Ｓ１は該保存凹部３７及び該Ａ収納凹部２７中に収納される。
図１１が示すように、該主回転輪２０中のＡ、Ｂ収納凹部２７、２８は直径Ｄ１、Ｄ２と同一である時には、該受動回転輪３０の保存凹部３７の下方には下保存凹部３８を設置し、コード保存回転輪３２上の二個の輪面直径ｄ１、ｄ２もまた同一である。これにより、該上線Ｓ１は該保存凹部３７、該Ａ収納凹部２７中に収納され、該下線Ｓ２は該下保存凹部３８及び該Ｂ収納凹部２８中に収納される。同様に、多数の上、下線Ｓ１、Ｓ２を収納或いは引き出すことができる。
図１１が示すように、該プラグ９０は電源ソケット９５に挿接し、別のプラグ（図示なし）は該電器製品９６に挿接する。こうして、本考案は使用される。
【００１４】
【考案の効果】
上記のように、本考案の受動回転輪は収容槽中に設置され、主回転輪と対応する。該受動回転輪と該主回転輪間は適当な距離Ｌを隔てるため、極めて長い分量のコードを収納することができる。
【図面の簡単な説明】
【図１】本考案の立体分解図である。
【図２】本考案の断面図である。
【図３】本考案の別種の実施例断面図である。
【図４】本考案と電器製品結合の様子を示す立体分解図である。
【図５】本考案と電器製品結合の様子を示す断面図である。
【図６】本考案と電器製品結合の様子を示す別種の実施例断面図である。
【図７】本考案の受動ローラーが複数設置された場合の実施例断面図である。
【図８】本考案の受動ローラーが複数設置された場合の実施例断面図である。
【図９】本考案において複数の受動ローラー間に一個の可動プーリーを増設した状態の断面図である。
【図１０】本考案において受動ローラー内部にバネを増設した状態の断面図である。
【図１１】本考案主回転輪と受動回転がそれぞれ二本の収納凹部を具える様子を示す断面実施例図である。
【図１２】本考案を電器製品間のコードリールに実施する様子を示す側面平面図である。
【符号の説明】
１０　内ケース体
１１　円凹槽
１５１　円凹槽
１１１　円凹槽
１５２　円凹槽
１２　収容槽
１２１　穿孔
１２２　滑り止めカバー
１３　導入孔
１３’　導入孔
１４　主回転部
１４１　軸端
１４２　軸端
１６１　軸端
１６２　軸端
１５　外ケース体
１６　支軸部
２０　主回転輪
２２　Ａ回転輪
２３　隔離片
２３１　係合溝
２４　Ｂ回転輪
２５　中心孔
３５　中心孔
２６　連動輪
３６　連動輪
２７　Ａ収納凹部
２８　Ｂ収納凹部
２９　内凹槽
３１　内凹槽
３０　受動回転輪
３２　コード保存回転輪
３７　保存凹部
３７１　隔離片
３７２　係合溝
３８　下保存凹部
４０　巻き取りばね
４０’　巻き取りばね
４２　外端
４２’　外端
４４　内端
４５　回転盤体
４５１　スライド溝
４５２　ベアリング
５０　伝動ベルト
７０　電器製品ケース体
７２　回路部品
７４　プラグ
７４’　挿入孔
８５　可動プーリー
９０　プラグ
９０’　プラグ
９５　挿入孔
９６　電器製品
Ｄ１　直径
Ｄ２　直径
ｄ１　直径
ｄ２　直径
Ｌ　間隔距離
Ｓ　コード
Ｓ１　上線
Ｓ２　下線
【図１】
0003097466.tif 000003
【図２】
0003097466.tif 000004
【図３】
0003097466.tif 000005
【図４】
0003097466.tif 000006
【図５】
0003097466.tif 000007
【図６】
0003097466.tif 000008
【図７】
0003097466.tif 000009
【図８】
0003097466.tif 000010
【図９】
0003097466.tif 000011
【図１０】
0003097466.tif 000012
【図１１】
0003097466.tif 000013
【図１２】
0003097466.tif 000014